(57)【要約】【課題】導きたい方向を観者が判断しやすい誘導サインを提供する。【解決手段】山部と谷部とを交互に並設させた波形形状に表示部の表面を形成させ、前記山部から一方へ隣接する谷部へ至る面を第一の標示面とし、前記山部から他方へ隣接する谷部へ至る面を第二の標示面として、前記表示部に蓄光材を含有する発光領域を備えた標示を形成させると共に、前記第一の標示面の発光領域の面積を前記第二の標示面の発光領域の面積より大きく形成する。周囲が暗い状況では、第二の標示面が向けられた方向から目視した場合よりも、第一の標示面が向けられた方向から目視した場合の方が、表示部の標示をより明るく視認できる。【選択図】        図１
2013125203.tif 000002
【特許請求の範囲】
【請求項１】
山部と、該山部に隣接する谷部とが交互に並設された波形形状に表示部の表面が形成され、
前記山部から一方へ隣接する谷部へ至る面が第一の標示面となされ、前記山部から他方へ隣接する谷部へ至る面が第二の標示面となされて、前記第一の標示面と第二の標示面とが交互に並設されるように表示部が形成されており、
前記表示部には蓄光材が含有された発光領域を備えた標示が形成されると共に、
前記第一の標示面の発光領域の面積が前記第二の標示面の発光領域の面積より大きく形成されていることを特徴とする誘導サイン。
【請求項２】
前記第二の標示面には発光領域が形成されず、前記第一の標示面にのみ発光領域が形成されていることを特徴とする請求項１に記載の誘導サイン。
【請求項３】
前記表示部に形成された標示が矢印表示であり、該矢印表示の指し示す方向が前記第二の標示面が向けられる方向側へ向けられていることを特徴とする請求項１又は２に記載の誘導サイン。
【発明の詳細な説明】
【技術分野】
【０００１】
本発明は、停電等で周囲が暗くなったときでも視認可能な誘導サインに関するものである。
【背景技術】
【０００２】
従来、蓄光材による発光により停電の際にも避難誘導の経路や非常口などを視認可能な誘導標示について、種々の発明が開示されている。
【０００３】
例えば、特許文献１には、照明下で壁と略同色の蓄光性蛍光体からなる第一非常時誘導ラインを壁に備えた建築物、が開示されている。
【先行技術文献】
【特許文献】
【０００４】
【特許文献１】特開２００９−０９８７２５号公報
【発明の概要】
【発明が解決しようとする課題】
【０００５】
しかしながら、特許文献１に示される建築物の誘導ラインは、蓄光性蛍光体の発光により停電時でも視認可能であるが、この誘導ラインを見た者が誘導ラインの設けられた通路のいずれの方向に行けばよいのか判断しにくい、という問題点があった。
【０００６】
本発明は、非常口のある場所など、導きたい方向を観者が判断しやすい誘導サインを提供するものである。
【課題を解決するための手段】
【０００７】
上記目的を達成するために、本発明は以下のような構成としている。
即ち、本発明に係る誘導サインは、山部と、該山部に隣接する谷部とが交互に並設された波形形状に表示部の表面が形成され、
前記山部から一方へ隣接する谷部へ至る面が第一の標示面となされ、前記山部から他方へ隣接する谷部へ至る面が第二の標示面となされて、前記第一の標示面と第二の標示面とが交互に並設されるように表示部が形成されており、
前記表示部には蓄光材が含有された発光領域を備えた標示が形成されると共に、
前記第一の標示面の発光領域の面積が前記第二の標示面の発光領域の面積より大きく形成されていることを特徴としている。
【０００８】
本発明に係る誘導サインによれば、山部と、この山部に隣接する谷部とを交互に並設させた波形形状に表示部の表面を形成させ、前記山部から一方へ隣接する谷部へ至る面を第一の標示面とし、前記山部から他方へ隣接する谷部へ至る面を第二の標示面として、前記第一の標示面と第二の標示面とを交互に並設させるように表示部を形成させるので、第一の標示面が向けられる方向からこの表示部を視認したときには主に第一の標示面が視認されて、第二の標示面が視認しにくくなされる。また第二の標示面が向けられる方向からこの表示部を視認したときには主に第二の標示面が視認されて、第一の標示面が視認しにくくなされる。
また、前記表示部に蓄光材を含有させた発光領域を備えた標示を形成させるので、停電時など周囲が暗い状況でも、蓄光材が発光して標示が視認できるようになされる。
そして、前記第一の標示面の発光領域の面積を前記第二の標示面の発光領域の面積より大きく形成させるので、周囲が暗い状況では、第二の標示面が向けられた方向から目視した場合よりも、第一の標示面が向けられた方向から目視した場合の方が、表示部の標示をより明るく視認できるようになされる。
このため、導きたい順路の方向へ視線を向けた観者へ第一の標示面が向けられ、順路とは逆方向へ視線を向けた観者へ第二の標示面が向けられるように誘導サインを設置させることで、観者には順路の方向が逆方向よりも明るく視認されるので、観者の注意が直感的に順路の方向へ向かうようになされる。
【０００９】
また、第二の標示面には発光領域を形成させず、前記第一の標示面にのみ発光領域を形成させれば、導きたい順路の方向へ視線を向けた観者へ第一の標示面が向けられ、順路とは逆方向へ視線を向けた観者へ第二の標示面が向けられるように誘導サインを設置させたときに、周囲が暗い状況において順路の逆方向がより暗く視認され、観者の注意がより順路の方向へ向かうようになされるので、好ましい。
【００１０】
また、前記表示部に矢印表示を形成させ、前記第二の標示面が向けられる方向側を指し示すように前記矢印表示を形成させれば、導きたい順路の方向へこの矢印表示が向けて誘導サインを設置させることで、矢印表示による誘導効果を得られる。そして、導きたい順路の方向へ視線を向けた観者へ第一の標示面が向けられ、順路とは逆方向へ視線を向けた観者へ第二の標示面が向けられるようになされるので、周囲が暗い状況で順路の逆方向がより暗く視認され、観者の注意がより順路の方向へ向かうようになされるので、好ましい。
【発明の効果】
【００１１】
本発明に係る誘導サインによれば、周囲が暗い状況でも、導きたい方向を観者が判断しやすい標示を行うことが出来る。
【図面の簡単な説明】
【００１２】
【図１】本発明に係る誘導サインの実施の一形態を示す、（イ）は正面図であり、（ロ）は底面図であり、（ハ）は側面図である。
【図２】図１のＡ−Ａ断面図である。
【図３】図１の誘導サインの発光領域を示す図である。
【図４】図１の誘導サインを順路に設置させた状況の一例を示す図である
【図５】図４の誘導サインを、周囲が明るい状態で各第一の標示面が向けられた方向から目視した状況を示す斜視図である。
【図６】図４の誘導サインを、周囲が明るい状態で各第二の標示面が向けられた方向から目視した状況を示す斜視図である。
【図７】図４の誘導サインを、周囲が暗い状態で各第一の標示面が向けられた方向から目視した状況を示す斜視図である。
【図８】図４の誘導サインを、周囲が暗い状態で各第二の標示面が向けられた方向から目視した状況を示す斜視図である。
【図９】本発明に係る誘導サインの実施の他の一形態を示す図である。
【図１０】本発明に係る誘導サインの実施の他の一形態を示す図である。
【図１１】図１０の誘導サインの発光領域を示す図である。
【発明を実施するための形態】
【００１３】
本発明の実施の形態を図面に基づき具体的に説明する。
図面において、１は誘導サインである。
本実施形態の誘導サイン１は、横長矩形の波形板状に形成された表示部２と、この表示部２の左右両縁からそれぞれ側方へ伸びる縦長平板状の取付部３とが設けられている。
各取付部３には、前後に貫通する取付穴３１が２個づつ合計４個形成されており、これを挿通させたネジなどによって誘導サイン１を設置場所へ取り付け可能に設けられている。
【００１４】
本実施形態の誘導サイン１は、１枚の板部材２０を曲げ加工して、前記表示部２と各取付部３とが一体に形成されている。
また、前記表示部２の波板形状もこの曲げ加工により形成されており、具体的には、前方へ向かう山折れ形状の山部２３と、後方へ向かう谷折れ形状の谷部２４とが、それぞれ交互に横方向へ複数個並設されるように曲げ加工されている。
詳細には、前記山部２３と、前記谷部２４は、それぞれ直角となされるように曲げ加工され、各山部２３と、各谷部２４との間には、平板状の平面部２５が設けられるように形成されている。
本実施形態において、各谷部２４は、その後端の前後方向の位置が、各取付板部３の後面に対応する位置に配置されるように形成されている。
【００１５】
本実施形態の誘導サイン１は、表示部２の前面に矢印を表す標示が形成されており、緑色の背景２１の中に、図中右方向を示す白色の矢印２２が標示されるように設けられている。
この背景２１は、誘導サイン１を形成する前記板部材２０の色であり、緑色に形成された板部材２０の色が背景２１に視認される。
そして、前記矢印２２はこの板部材２０の前面側に描かれて形成されている。
矢印２２は、塗装による塗膜や、印刷、着色されたシートの貼着等の方法を、選択又は組み合わせて形成することができ、本実施形態の矢印２２は、板部材２０の前面に白色のシートを貼着させて形成させている。
【００１６】
図２は図１のＡ−Ａ断面図である。
本実施形態の表示部２は、横方向に交互に並設された山部２３と、谷部２４との間に平板状の平面部２５が形成され、これらの前面側に矢印２２が図中右方向を示して表されるように設けられているが、平面部２５の前面側には、山部２３から一方へ隣接する谷部２４との間に設けられる第一の標示面２５ａと、山部２３から他方へ隣接する谷部２４との間に設けられる第二の標示面２５ｂとが設けられている。
本実施形態の表示部２においては、各山部２３から図中左方向へ隣接する谷部２４との間に第一の標示面２５ａを形成させ、各山部２３から図中右方向へ隣接する谷部２４との間に第二の標示面２５ｂを形成させている。
このように設けることによって、前記各第一の標示面２５ａは図中左方向側へ向けられ、前記各第二の標示面２５ｂは図中右方向側へ向けられるようになされる。即ち、前記各第一の標示面２５ａが矢印２２の示す方向とは逆側へ向けられ、前記各第二の標示面２５ｂが矢印２２の示す方向側へ向けられるようになされている。
【００１７】
本実施形態の表示部２には、背景２１を表す板部材２０の前面に、矢印２２を表す色層２２ａが形成されており、色層２２ａは板部材２０に貼着された白色のシート材によって設けられている。
色層２２ａは、表示部２において、第一の標示面２５ａと第二の標示面２５ｂとにそれぞれ形成されている。
【００１８】
そして、本実施形態の表示部２には、蓄光材を含み標示を表す発光領域Ｌが形成されている。
発光領域Ｌは層状に形成されて色層２２ａの前面に設けられており、また、発光領域Ｌは第二の標示面２５ｂには形成されず第一の標示面２５ａにのみ形成されている。
発光領域Ｌは、塗装による塗膜や、印刷、シートの貼着等の方法を選択や組み合わせて形成することができ、本実施形態の発光領域Ｌは蓄光材を含んだ塗料による塗膜によって形成されている。
また、本実施形態の発光領域Ｌは、色層２２ａと同じ色、即ち白色に形成されている。
【００１９】
図３は、図１の誘導サイン１の発光領域Ｌを示す図である。
図３において、着色された範囲が発光領域Ｌが形成された部分である。
本実施形態の発光領域Ｌは、第一の標示面２５ａに形成された矢印２２の部分にのみ形成され、第一の標示面２５ａに形成された矢印２２の領域を全て覆うように形成されている。
【００２０】
図４は図１の誘導サイン１を順路に設置させた状況の一例を示す図である。
図４において、左右方向に沿って通路Ｒが形成されており、この通路Ｒは図中右方向を進むべき順路としている。
そして、通路Ｒには、通行する人を図中右方向へ誘導するために、矢印２２を順路の方向、即ち図中右方向へ向けた図１の誘導サイン１を通路Ｒの壁面に２個取り付けた状況を示している。
また前記２個の誘導サイン１のうち、誘導サイン１Ａは誘導サイン１Ｂより図中右側に配置され、通路Ｒにおいて誘導サイン１Ａが誘導サイン１Ｂより順路の先側に取り付けられている状況を示している。
【００２１】
図５は図４の誘導サイン１Ａを、周囲が明るい状態で各第一の標示面２５ａが向けられた方向から目視した状況を示す斜視図であり、図６は図４の誘導サイン１Ｂを、周囲が明るい状態で各第二の標示面２５ｂが向けられた方向から目視した状況を示す斜視図である。
また、図７は図４の誘導サイン１Ａを、周囲が暗い状態で各第一の標示面２５ａが向けられた方向から目視した状況を示す斜視図であり、図８は図４の誘導サイン１Ｂを、周囲が暗い状態で各第二の標示面２５ｂが向けられた方向から目視した状況を示す斜視図である。
具体的には、図５、７は、図４において、通路Ｒに設置された誘導サイン１Ａを観者Ｍが視認した状況を示しており、図６、８は通路Ｒに設置された誘導サイン１Ｂを観者Ｍが視認した状況を示している。
詳細には、図５、７では、観者Ｍは矢印２２が示す方向側、即ち順路の方向へ視線を向けて誘導サイン１Ａを目視し、図６、８においては、観者Ｍは矢印２２が示す方向とは逆側、即ち順路と逆方向へ視線を向けて誘導サイン１Ｂを目視している。
そして、本実施形態の誘導サイン１Ａ、１Ｂは、各第一の標示面２５ａの前面が矢印２２の示す方向とは逆側に向けられ、各第二の標示面２５ｂの前面が矢印２２の示す方向側に向けられるので、図５、７においては、観者Ｍには誘導サイン１Ａの各第一の標示面２５ａが視認されるが、各第二の標示面２５ｂは各第一の標示面２５ａに隠れて視認されないようになされる。また、図６、８においては、観者Ｍは誘導サイン１Ｂの各第二の標示面２５ｂが視認されるが、各第一の標示面２５ａは各第二の標示面２５ｂに隠れて視認されないようになされる。
【００２２】
周囲が明るい状況では、表示部２に表される背景２１や矢印２２は明瞭に視認出来る。
このため、各第一の標示面２５ａが向けられた方向から誘導サイン１Ａを目視した場合や、各第二の標示面２５ｂが向けられた方向から誘導サイン１Ｂを目視した場合に、図５、６に示すようにそれぞれの矢印２２が視認されるので、各誘導サイン１Ａ、１Ｂは図中右方向を指す矢印表示として観者Ｍに順路の方向を認識させることができる。
【００２３】
また、周囲が暗い状況では、表示部２の背景２１や矢印２２の色層２２ａは周囲の暗闇に紛れて視認しにくくなり、発光領域Ｌのみが含有する蓄光材の発光により明瞭に視認出来るようになされる。
このため、図７に示すように、各第一の標示面２５ａが向けられた方向から誘導サイン１Ａを目視した場合には、発光領域Ｌが表す矢印２２が明瞭に視認されるので、観者Ｍに順路の方向を認識させることができる。
【００２４】
一方、図８に示すように、各第二の標示面２５ｂが向けられた方向から誘導サイン１Ｂを目視した場合には、発光領域Ｌは第二の標示面２５ｂに隠れるので、矢印２２は明瞭には視認されない。
詳細には、各第一の標示面２５ａに設けられた発光領域Ｌから発せられる光が、各第二の標示面２５ｂの白色の色層２２ａを照らすので、この光に照らされた色層２２ａが薄暗く視認されるが、順路を示す矢印とは視認されにくいものとなされる。
【００２５】
図４、７、８に示すように、周囲が暗い状況で各誘導サイン１Ａ、１Ｂを目視したとき、観者Ｍが矢印２２の示す方向側へ視線を向けたときには、誘導サイン１Ａの第一の標示面２５ａに形成された発光領域Ｌの発する光によって矢印２２の形状を視認できると共に、誘導サイン１Ａの発光領域Ｌからの光によって通路Ｒの順路の方向が他より明るく認識されるので、観者Ｍが直感的に順路の方向へ進みたいと感じるように促すことができる。
観者Ｍが矢印２２の示す方向とは逆に視線を向けたときには、誘導サイン１Ｂは薄暗く視認できるものの、進むべき順路として認識されにくくなされる。
【００２６】
図９は本発明に係る誘導サインの実施の他の一形態を示す図である。
本実施形態の誘導サイン１Ｃは、第二の標示面２５ｂに蓄光材を含む発光領域を形成させた点が、図１〜８に示した実施形態と異なる事項である。
【００２７】
即ち、本実施形態の誘導サイン１Ｃは、図１〜８の実施形態と同様に、波形板状の表示部２と平板状の取付部３とを備え、表示部２の前面に緑色の背景２１と、右方向を示す白色の矢印２２が標示として設けられている。
また、波形板状の表示部２には、矢印２２が示す方向と逆側である図中左側へ向けられた第一の標示面２５ａと、矢印２２が示す方向側である図中右側へ向けられた第二の標示面２５ｂとが設けられている。
また、表示部２には、背景２１を表す板部材２０の前面に白色の矢印２２を表す色層２２ａが形成されており、色層２２ａの前面には蓄光材を含む発光領域Ｌが形成されている。
発光領域Ｌは、第一の標示面２５ａに形成された矢印２２の領域を全て覆うように形成されている。
【００２８】
本実施形態の誘導サイン１Ｃは、第二の標示面２５ｂに発光領域Ｌ２が形成されている。
本実施形態の発光領域Ｌ２は、第一の標示面２５ａに形成された発光領域Ｌと同じ材料で形成されており、発光領域Ｌと同様に色層２２ａの前面に形成されている。
【００２９】
図９において、着色された範囲が発光領域Ｌ、Ｌ２が形成された部分である。
発光領域Ｌ２は、第二の標示面２５ｂに形成された矢印２２の領域を全て覆うのではなく、背景２１と接する矢印２２の縁部分にのみ形成されている。
即ち、表示部２において、発光領域Ｌ２は、その面積が発光領域Ｌの面積よりも小さく形成されている。尚、ここでいう発光領域Ｌ２の面積とは、各発光領域Ｌ２の総面積であり、発光領域Ｌの面積とは各発光領域Ｌの総面積である。
【００３０】
本実施形態の誘導サイン１Ｃを周囲が明るい状態で目視した場合、背景２１と矢印２２とが明瞭に視認できるので、観者が各第一の標示面２５ａが向けられた方向から目視したときや、各第二の標示面２５ｂが向けられた方向から目視したときには、図４、５と同様に、誘導サイン１Ｃは右方向を示す矢印として観者に認識される。
【００３１】
また、本実施形態の誘導サイン１Ｃを周囲が暗い状態で目視した場合、各第一の標示面２５ａが向けられた方向から目視したときには、第二の標示面２５ｂが第一の標示面２５ａに隠れ、各第一の標示面２５ａが視認される。このため、図６と同様に、発光領域Ｌが表す矢印２２が明瞭に視認され、観者に矢印２２が示す方向を認識させることができる。
【００３２】
そして、本実施形態の誘導サイン１Ｃを、周囲が暗い状態で各第二の標示面２５ｂが向けられた方向から目視したときには、第一の標示面２５ａが第二の標示面２５ｂに隠れ、各第二の標示面２５のみが視認される。そして、蓄光材の発する光により発光領域Ｌ２が明瞭に視認され、観者には矢印２２の縁形状が表す右方向の矢印が認識される。
【００３３】
周囲が暗い状況で、観者が矢印２２の示す方向側へ視線を向けて誘導サイン１Ｃを目視したときには、誘導サイン１の第一の標示面２５ａに形成された発光領域Ｌの発する光によって矢印２２の形状を視認できると共に、誘導サイン１Ｃの発光領域Ｌからの光によって通路Ｒの順路の方向が明るく認識される。
一方、同様に周囲が暗い状況で、観者が矢印２２の示す方向と逆側へ視線を向けて誘導サイン１Ｃを目視したときには、誘導サイン１Ｃの第二の標示面２５ｂに形成された発光領域Ｌ２の発する光によって、矢印２２の縁形状を視認できる。
【００３４】
本実施形態の誘導サイン１Ｃは、図１〜８の実施形態とは異なり、周囲が暗い状況で観者が矢印２２の示す方向と逆側へ視線を向けたときにも誘導サイン１Ｃの矢印形状を視認できるようになされている。
このため、矢印２２が示す方向、即ち順路とは逆方向へ観者が視線を向けたときにも、誘導サイン１Ｃの発する光を明確に視認できるが、第一の標示面２５ａの発光領域Ｌが、第二の標示面２５ｂの発光領域Ｌ２よりも大きな面積に形成されているので、観者が矢印２２の示す順路方向へ視線を向けて誘導サイン１Ｃを視認したときに、誘導サイン１Ｃの発する光が最も明るく視認でき、観者が直感的に順路の方向へ進みたいと感じるように促すことができる。
【００３５】
第一の標示面２５ａの発光領域Ｌの面積を、第二の標示面２５ｂの発光領域Ｌ２より大きく形成させれば、周囲が暗い状況で、順路方向側に設置させた誘導サイン１Ｃを、逆方向側に設置させた誘導サイン１Ｃより明るく視認させることができるが、この効果は、発光領域Ｌと発光領域Ｌ２との面積の差が大きなほど顕著に得られる。
このため、発光領域Ｌの面積は、発光領域Ｌ２の２倍以上に形成するのが好ましく、５倍以上に形成するのがより好ましい。
また、図１〜８に示す実施形態のように、第二の標示面２５ｂに発光領域を形成させないことが更に好ましい。
【００３６】
図１０は本発明に係る誘導サインの実施の他の一形態を示す図であり、図１１は図１０の誘導サインの発光領域を示す図である。図１１において、着色された範囲が発光領域の形成された部分である。
本実施形態の誘導サイン１Ｄは、図１〜９に示す実施形態と同様に、横長矩形の波形板状に形成された表示部２と、この表示部２の左右両縁からそれぞれ側方へ伸びる縦長平板状の取付部３とが設けられている。
また、波形状の表示部２には、図１〜９に示す実施形態と同様に、図中左側へ向けられた第一の標示面２５ａと、図中右側へ向けられた第二の標示面２５ｂとが設けられている。
【００３７】
本実施形態の誘導サイン１Ｄは、各第一の標示面２５ａの全面が白色に設けられ、各第二の標示面２５ｂの全面が緑色に形成されている。
また、各第一の標示面２５ａには、その全面に蓄光材を含む発光領域Ｌが形成されており、各第二の標示面２５ｂには蓄光材を含む発光領域は形成されていない。
【００３８】
周囲が暗い状態において、本実施形態の誘導サイン１Ｄを各第一の標示面２５ａが向けられた方向から目視した場合に、観者には発光領域Ｌの発する光が明瞭に視認されるので、誘導サイン１Ｄが明るく認識される。
【００３９】
同様に、周囲が暗い状態において、本実施形態の誘導サイン１Ｄを各第二の標示面２５ｂが向けられた方向から目視した場合には、発光領域Ｌの形成された第一の標示面２５ａが第二の標示面２５ｂに隠れるので、観者には誘導サイン１Ｄが目視されにくくなされる。
【００４０】
図１〜８に示す誘導サイン１では、周囲が暗い状況で第二の標示面２５ｂの前面が向けられた方向から目視したときに、第二の標示面２５ｂの色層２２ａが第一の標示面２５ａの発光領域Ｌからの光に照らされ、薄暗く視認される。
これに対して、本実施形態の誘導サイン１Ｄは、第二の標示面２５ｂに発光領域Ｌを形成させず、且つ各第二の標示面２５ｂを、各第一の標示面２５ａの白色より暗い色調である緑色に形成させている。このため、周囲が暗い状況で、第二の標示面２５ｂの前面が向けられた方向から誘導サイン１Ｄを目視したときに、発光領域Ｌからの光に照らされた第二の表示部２５がより暗く視認されるので、第一の標示面２５ａが向けられた方向から視認される誘導サイン１Ｄがより明るく視認されるようになされる。
【００４１】
本実施形態の誘導サイン１Ｄは、これのみを用いて順路を表示させても良いが、図１〜８に示す誘導サイン１や、図９に示す誘導サイン１Ｃと共に用いることで、観者に順路の方向をより明瞭に認識させることができる。
一例として、図１〜８に示す誘導サイン１を、順路に沿って、間隔をあけて複数並設させ、各誘導サイン１の間に本実施形態の誘導サイン１Ｄを配置させて取り付ける構成が挙げられる。このとき各誘導サイン１Ｄの第一の標示面２５ａが向けられる方向を、各誘導サイン１の第一の標示面２５ａと同じにすれば、周囲が暗い状況で、観者が誘導サイン１の矢印２２の示す方向へ視線を向けて、誘導サイン１と誘導サイン１Ｄを目視したときに、誘導サイン１と誘導サイン１Ｄのそれぞれの発光領域Ｌが視認されて、矢印２２の示す順路の方向がより明るく視認される。そして、周囲が暗い状況で、観者が誘導サイン１の矢印２２の示す方向と逆側へ視線を向けて、誘導サイン１と誘導サイン１Ｄを目視したときには、誘導サイン１Ｄが誘導サイン１より更に暗く視認されるので、誘導サイン１のみを用いて標示を行ったときより、順路の方向をより明るく観者に認識させることができ、観者が直感的に順路の方向へ進みたいと感じるように促すことができる。
【００４２】
本実施形態の誘導サイン１Ｄは、発光領域Ｌを設けた第一の標示面２５ａに対し、第二の標示面２５ｂに蓄光材を含む発光領域が設けられず、且つ第二の標示面２５ｂの色調が第一の標示面２５ｂより暗い色調となされることで、周囲が暗い状況で、第一の標示面２５ａが向けられた方向から目視した場合と、第二の標示面２５ｂが向けられた方向から目視した場合とで、視認される明るさの差を大きなものとし、誘導サイン１Ｄによる誘導の効果を高めることができる。
ここで言う、より暗い色調とは、色調をＬａｂ方式で表示したときのＬ値がより低い色調のことである。
【００４３】
尚、本発明に係る誘導サインは、上記の実施形態に限定されるものではなく、本発明の要旨を逸脱しない範囲で、種々の変更が可能である。
例えば、上記の実施形態において、表示部２の山部２３と、谷部２４とは、折り曲げの角度が直角に形成されているが、これに限るものではなく、直角以外の角度に形成されてもよく、丸みを帯びるように形成されてもよい。
また、上記の実施形態において、第一の標示面２５ａと、第二の標示面２５ｂとは、平面状に形成させているが、これに限るものではなく、曲面状に形成させてもよい。
【００４４】
また、上記の実施形態の誘導サインの表示部２は、１枚の板部材２０を曲げ加工して、前方へ向かう山折れ形状の山部２３と、後方へ向かう谷折れ形状の谷部２４とが、それぞれ交互に横方向へ複数個並設されているが、各谷部２４の後端に補強部材を取り付けてもよい。補強部材を取り付ける誘導サインとしては、一例として、誘導サインの背面側から、各谷部２４の後端にそれぞれ架け渡されるように板状又は棒状の補強部材を当接させ、この補強部材と各谷部２４とを接着などの方法によって固定させる構成が挙げられる。このように補強部材を取り付ければ、波板形状に形成された表示部２の強度が向上し、誘導サインに外力などが働いても表示部２が歪みにくくなされて、表示部２の表す標示の視認性の低下が抑制される。また、各谷部２４が補強部材に固定されるので、各谷部２４のそれぞれの位置が変化しにくくなされて、前記各第一の標示面２５ａがそれぞれ向けられる方向、及び前記各第二の標示面２５ｂがそれぞれ向けられる方向が変化しにくくなされ、前記表示部２の表す標示の視認性の低下が抑制される。
【符号の説明】
【００４５】
１      誘導サイン
２      表示部
２０    板部材
２１    背景
２２    矢印
２２ａ  色層
２３    山部
２４    谷部
２５    平面部
２５ａ  第一の標示面
２５ｂ  第二の標示面
３      取付部
３１    取付穴
Ｌ      発光領域
Ｍ      観者
Ｒ      通路
【図１】
2013125203.tif 000003
【図２】
2013125203.tif 000004
【図３】
2013125203.tif 000005
【図４】
2013125203.tif 000006
【図５】
2013125203.tif 000007
【図６】
2013125203.tif 000008
【図７】
2013125203.tif 000009
【図８】
2013125203.tif 000010
【図９】
2013125203.tif 000011
【図１０】
2013125203.tif 000012
【図１１】
2013125203.tif 000013